(57)【特許請求の範囲】
【請求項１】
消泡剤組成物であって、
a）少なくとも1つの有機リン成分と、ここで前記有機リン成分が、前記消泡剤組成物の総重量ベースで20 重量%〜99 重量%の量で存在し、
b）少なくとも1つのシラン処理シリカと、
c）少なくとも1つのアニオン性又は非イオン性の界面活性剤と、
d）任意に水と、
を含む、消泡剤組成物。
【請求項２】
前記少なくとも1つの有機リン成分が有機リン化合物である、請求項1に記載の消泡剤組成物。
【請求項３】
前記有機リン成分がアルキル含有リン化合物である、請求項1に記載の消泡剤組成物。
【請求項４】
前記有機リン成分がリン酸トリ-n-ブチル、リン酸トリ-n-ブトキシエチル、リン酸トリス(2-エチルヘキシル)、リン酸エステル、亜リン酸トリイソオクチル、リン酸トリイソブチル、リン酸トリフェニル、又はそれらの任意の組合せである、請求項1に記載の消泡剤組成物。
【請求項５】
前記シラン処理シリカがオルガノシラン処理シリカである、請求項1に記載の消泡剤組成物。
【請求項６】
前記シラン処理シリカ中の前記シランがCH3Si-である、請求項1に記載の消泡剤組成物。
【請求項７】
前記シラン処理シリカが80 m2/g〜290 m2/gのBET表面積を有する、請求項1に記載の消泡剤組成物。
【請求項８】
前記シラン処理シリカが、ヘキサメチルジシラザン、ジメチルジクロロシラン、メタクリルシラン、ヘキサデシルシラン、オクチルシラン、モノ−若しくはジ−若しくはトリ−アルコキシシラン、又はそれらの任意の組合せによって処理されたシリカである、請求項1に記載の消泡剤組成物。
【請求項９】
前記シラン処理シリカが、前記消泡剤組成物の総重量ベースで1 重量%〜10 重量%の量で存在する、請求項1に記載の消泡剤組成物。
【請求項１０】
前記界面活性剤がアニオン性である、請求項1に記載の消泡剤組成物。
【請求項１１】
前記界面活性剤が非イオン性である、請求項1に記載の消泡剤組成物。
【請求項１２】
前記界面活性剤が、前記消泡剤組成物の総重量ベースで1 重量%〜5 重量%の量で存在する、請求項1に記載の消泡剤組成物。
【請求項１３】
前記界面活性剤が、前記消泡剤組成物の総重量ベースで0.5 重量%〜10 重量%の量で存在する、請求項1に記載の消泡剤組成物。
【請求項１４】
前記界面活性剤が、ポリグリコールエステル、糖エステル、ポリオキシプロピレンとポリオキシエチレンとのブロックコポリマーエステル、アルコールエトキシレート、ポリアルキレングリコールエステル、ソルビタンエステル、アミンエトキシレート、エステルエトキシレート、アルキロールアミドエトキシレート、ラノリンエトキシレート、若しくはアルキルフェノールエトキシレート、又はそれらの任意の組合せである、請求項1に記載の消泡剤組成物。
【請求項１５】
前記界面活性剤が、リン酸エステル、スルホサクシネート、エーテルサルフェート、アルコールサルフェート、アルキルアリールスルホネート、アルカン／オレフィンスルホネート、若しくは石油スルホネート、又はそれらの任意の組合せである、請求項1に記載の消泡剤組成物。
【請求項１６】
シリコーンオイルを含まない、請求項1に記載の消泡剤組成物。
【請求項１７】
シリコーン又はシリコーン含有製品を含まない、請求項1に記載の消泡剤組成物。
【請求項１８】
消泡剤組成物であって、
a）少なくとも1つの有機リン成分と、
b）少なくとも1つのシラン処理シリカと、
c）少なくとも1つのアニオン性又は非イオン性の界面活性剤と、
d）任意に水と、
を含み、
ワックスを含まない、消泡剤組成物。
【請求項１９】
消泡剤組成物であって、
a）少なくとも1つの有機リン成分と、
b）少なくとも1つのシラン処理シリカと、
c）少なくとも1つのアニオン性又は非イオン性の界面活性剤と、
d）任意に水と、
を含み、
石油製品を含まない、消泡剤組成物。
【請求項２０】
紙の製造過程で発泡を制御する方法であって、製紙工場の1又は複数の箇所に請求項1に記載の消泡剤組成物を適用することを含み、前記消泡剤組成物を前記製紙工場に存在する工程水に適用する、方法。
【請求項２１】
少なくとも1つの褐色紙料洗浄機を備えるパルプ工場において発泡を制御する方法であって、請求項1に記載の消泡剤組成物を、前記褐色紙料を洗浄する間の発泡を制御するのに十分な量で、褐色紙料洗浄機の付近で湿潤パルプ、褐色紙料、シャワー水、及び／又は黒液に適用することを含む、方法。
【請求項２２】
前記消泡剤組成物を湿潤パルプ1メートルトン当たり0.4 kg〜湿潤パルプ1メートルトン当たり1 kgの適用量で適用する、請求項21に記載の方法。
【発明の詳細な説明】
【技術分野】
【０００１】
本願は、2014年3月28日に出願された先行する米国仮特許出願第61/971,561号の米国特許法第119条（e）項に基づく利益を主張するものであり、この出願の全体は引用することにより本明細書の一部をなす。
【０００２】
本発明は、紙パルプ工場おける発泡の制御に関する。さらに、本発明は、パルプ加工においてパルプ若しくは黒液を処理するため使用され得る、又はパルプ及び紙の製造過程で工程水を処理するため使用され得る、消泡剤組成物に関する。
【背景技術】
【０００３】
パルプ製造及び製紙の様々な工程において、望ましくない気泡の生成が起こる場合がある。これは、一般的には、パルプ及び紙の製造過程で使用される様々な化学物質に起因して起こる。望ましくない起泡に直面する特定の領域の1つが、洗浄水を使用してパルプを洗浄し、パルプ製造の化学物質及びリグニンを除去するパルプ洗浄段階に存在する。特にパルプ洗浄又は褐色紙料の洗浄段階に対するこれまでの消泡技術は、炭化水素系オイル等の石油系製品、高融点ワックス、及びシリコーンオイルで処理される1又は複数の成分の使用を含むものであった。これらの消泡剤組成物が気泡の制御に有効であるとされてきたが、或る特定のパルプ及び紙の製造業者は、典型的にはこれらの化学物質の残留物をパルプから除去することができず、パルプ中に存在することが検査で見出されることから、ワックス及び／又はシリコーンオイルの存在を回避したいと強く望んでいる。具体的には、オイルベース型の消泡剤の添加は、製紙及びパルプ加工の段階において悪影響及び／又はピッチ若しくは汚れの付着の増大を引き起こす場合がある。例えば、これらの付着は、後の製紙操作においてワイヤー、フェルト、及び他の構成要素の汚損を引き起こす可能性のある、多量の高分子量画分のオイル及び不溶性のアミドワックスを含有する場合がある。また、消泡剤中のシリコーン成分が黒液系に適切に分散されないため、洗浄過程の間に洗い流されない場合、製造される最終紙シートに悪影響を有する場合があり、紙製品へのいかなるシリコーンの持越し汚染もパルプの全体的な品質に影響を及ぼし、したがって最終的には該紙製品の製品品質を格下げする可能性がある。
【発明の概要】
【発明が解決しようとする課題】
【０００４】
したがって、製紙及びパルプ加工の産業において、好ましくはシリコーンオイルを含まない及び／又は高分子量のワックスを含まなくても、紙パルプ工場において同等の消泡活性を達成する消泡剤組成物を開発する必要がある。
【課題を解決するための手段】
【０００５】
本発明の特徴は、パルプ加工及び／又は製紙の1又は複数の段階で発泡を制御することである。
【０００６】
本発明の別の特徴は、シリコーンオイルを含まない消泡剤組成物を提供することである。
【０００７】
本発明の更なる特徴は、高分子量のワックスを含まない消泡剤組成物を提供することである。
【０００８】
これら及び他の利点を達成するため、また本発明の目的に従って本明細書で具体化され、記載されるように、本発明は消泡剤組成物に関する。該消泡剤組成物は、少なくとも1つの有機リン成分と、少なくとも1つのシラン処理シリカと、少なくとも1つのアニオン性又は非イオン性の界面活性剤と、任意に水又は水性液体とを含む。
【０００９】
さらに、本発明は、1又は複数の本発明の消泡剤組成物を使用してパルプ加工又は紙の製造過程において発泡を制御する方法に関する。
【００１０】
さらに、本発明は、例えば1又は複数の褐色紙料洗浄機においてパルプ製造過程の1又は複数のパルプ洗浄段階で発泡を制御する方法に関する。
【００１１】
本発明の更なる特徴及び利点は、以下の明細書で一部説明され、本明細書から一部明らかとなるか、又は本発明の実施により認識することができる。本発明の目的及び他の利点は、本明細書及び添付の特許請求の範囲において具体的に指摘された要素及び組合せを用いて実現及び達成される。
【００１２】
上記の一般的な説明及び以下の詳細な説明の両方が例示的及び説明的なものに過ぎず、請求項に記載の本発明を更に説明することを意図すると理解されるものとする。
【図面の簡単な説明】
【００１３】
【図１】従来の消泡剤組成物と比較した本発明の消泡剤組成物の1つの実験結果を示す棒グラフである。棒グラフは、経時的（秒単位）に泡高（cm単位）を測定することにより、発泡の制御を反映する。
【図２】シリコーンベースの消泡剤組成物と比較した本発明の消泡剤組成物の1つの実験結果を示す棒グラフである。棒グラフは、経時的（秒単位）に泡高（cm単位）を測定することにより、発泡の制御を反映する。
【発明を実施するための形態】
【００１４】
本発明は、消泡剤の組成物又は配合物に関する。消泡剤の組成物又は配合物は、パルプ製造操作及び製紙操作の1又は複数の段階における気泡の制御に特に有用である。本発明の消泡剤組成物は、褐色紙料洗浄段階とも考えられる1又は複数のパルプ洗浄工程において特に有用である。
【００１５】
本発明の消泡剤の組成物又は配合物は、
a）少なくとも1つの有機リン成分（例えば化合物又はポリマー）と、
b）少なくとも1つのシラン処理シリカと、
c）少なくとも1つのアニオン性又は非イオン性の界面活性剤と、
d）任意に水又は水性液体と、
を含み、それらから本質的になり、それらからなり、又はそれらを包含する。
【００１６】
有機リン成分は、消泡剤組成物の総重量ベースで約20 重量%〜約90 重量%、又は約30 重量%〜約90 重量%、又は約40 重量%〜約90 重量%、又は約50 重量%〜約90 重量%、又は約60 重量%〜約90 重量%、又は約70 重量%〜約98 重量%、又は約75 重量%〜約95 重量%の量で上記消泡剤組成物中に存在してもよい。
【００１７】
シラン処理シリカは、消泡剤組成物の総重量ベースで約1 重量%〜約10 重量%、例えば約2 重量%〜約8 重量%、約3 重量%〜約8 重量%、約3 重量%〜約7 重量%、又は約5 重量%〜約10 重量%の量で存在してもよい。
【００１８】
界面活性剤は、消泡剤組成物の総重量ベースで約0.5 重量%〜約10 重量%、約1 重量%〜約10 重量%、約3 重量%〜約8 重量%、約5 重量%〜約10 重量%、又は約1 重量%〜約 5重量%の量で上記消泡剤組成物中に存在してもよい。
【００１９】
上記消泡剤組成物の残部は、存在する場合は、水、又はアルコールのような水性液体であってもよい。水は、消泡剤組成物の総重量ベースで0 重量%〜約35 重量%、又は約1 重量%〜30 重量%、約2 重量%〜25 重量%、又は約5 重量%〜約20 重量%の量で存在してもよい。
【００２０】
水が存在する場合、水は本発明の消泡剤組成物の他の原料中に分散される。言い換えれば、水が存在する場合、上記消泡剤組成物は、油中水型組成物とされてもよい水希釈配合物と考えられる。本発明の消泡剤組成物全体は、水が存在しても水不溶性と考えられる。急速な混合、また好ましくは25℃超、好ましくは35℃超の昇温状態により、水は消泡剤組成物の水不溶性成分へと効果的に分散され得る。本発明の目的のため、水不溶性成分、特に有機リン成分は連続相とされてもよく、また水は、存在する場合、非連続相とされてもよい。
【００２１】
有機リン化合物に関して、化合物等の1又は複数の異なる種類の有機リン成分を使用することができる。有機リン成分は、C1〜C12アルキル含有リン化合物等のアルキル含有リン化合物であってもよい。有機リン化合物は、リン酸アルキル、リン酸エステル、亜リン酸アルキル、又はそれらの任意の組合せであってもよい。
【００２２】
上記消泡剤組成物に存在し得る有機リン成分の具体的な例として、限定されないが、リン酸トリ-n-ブチル、リン酸トリ-n-ブトキシエチル、リン酸トリス（2-エチルヘキシル）、リン酸エステル、亜リン酸トリイソオクチル、リン酸トリイソブチル、リン酸トリフェニル、又はそれらの任意の組合せが挙げられる。
【００２３】
有機リン化合物等の有機リン成分は、消泡剤組成物の担体媒質と考えられ得る。有機リン成分は担体でありながらも、消泡特性に寄与してもよい。有機リン化合物は水不溶性であることが好ましい。
【００２４】
消泡活性に関する相乗効果を提供するため、本発明の研究に基づいて、有機リン化合物とシラン処理シリカとの組合せが示された。言い換えれば、本発明の消泡剤組成物の有機リン化合物とシラン処理シリカとの組合せは、消泡特性に関して相加効果よりも大きな効果を提供する。
【００２５】
シラン処理シリカに関して、1又は複数のシラン処理シリカを本願の消泡剤組成物において使用してもよい。シラン処理シリカは、一般的には粒子状形態であり、消泡剤組成物に懸濁等されて存在する。
【００２６】
シラン処理シリカは、例えばオルガノシラン処理シリカであってもよい。オルガノシランは、例えば、アルキル-Si-、例えばCH3Si-であってもよい。シリカは、例えば、ヘキサメチルジシラザン、ジメチルジクロロシラン、オクタメチルシクロテトラシロキサン、メタクリルシラン、オクチルトリエトキシシラン、ヘキサデシルシラン、オクチルシラン、モノ−、ジ−若しくはトリ−アルコキシシラン、ポリジメチルシロキサン、環状シラザン又はそれらの任意の組合せで処理されてもよい。
【００２７】
シリカ又はシラン処理シリカは、約80 m2/g〜約290 m2/g、例えば約100 m2/g〜約260 m2/g、又は約150 m2/g〜225 m2/g、又は約175 m2/g〜約225 m2/gのBET表面積を有してもよい。
【００２８】
シラン処理シリカの商業的な例として、Wacker HDK2000、AEROSIL R972、R104、R106、R202、R208、R812S、R8200、R974、R805、R812、R816、R7200及びR711等のEvonikシラン処理シリカ、及び／又はZEOFREE 80D、及び／又はCAB-O-SIL TG-308F、TG-709F、TG-7120、TG-810G、TG-811F、TG-815F、TG-820F、TG-828F、TS-530、TS-610、TS-622、TS-720、TS-530D、TG-C190、TG-C243、TG-C390及びTG-C413等のCabotのCAB-O-SILシリカが挙げられる。
【００２９】
述べられるように、界面活性剤はアニオン性又は非イオン性であってもよい。2種類以上の界面活性剤を使用することができる。
【００３０】
非イオン界面活性剤の例として、ポリグリコールエステル、糖エステル、ポリオキシプロピレンとポリオキシエチレンとのブロックコポリマーエステル、アルコールエトキシレート、ポリアルキレングリコールエステル、ソルビタンエステル、アミンエトキシレート、エステルエトキシレート、アルキロールアミドエトキシレート（alkylolamide ethoxylate）、ラノリンエトキシレート、若しくはアルキルフェノールエトキシレート、又はそれらの任意の組合せが挙げられる。
【００３１】
アニオン界面活性剤の例として、リン酸エステル、スルホサクシネート、エーテルサルフェート、アルコールサルフェート、アルキルアリールスルホネート、アルカン／オレフィンスルホネート、若しくは石油スルホネート、又はそれらの任意の組合せが挙げられる。
【００３２】
本発明の消泡剤組成物の作製に関して、上記成分を共に混合してもよい。この混合は、約50℃〜約90℃等の昇温状態で行ってもよい。混合は、10分間〜10時間以上等の少なくとも10分間に亘り行ってもよい。一般的には、上記混合は、約1時間〜約5時間に亘って行う。その後、混合物を周囲温度（約15℃〜約25℃）まで冷却してもよい。
【００３３】
本発明の消泡剤組成物を、気泡を制御する必要があるパルプ製造過程（pulp pulping process）又は製紙過程のどの段階で使用してもよい。本発明の消泡剤は、パルプ製造過程のパルプ洗浄段階で特に有効である。また、パルプ洗浄工程は、褐色紙料洗浄の過程又は段階とされる。本発明の消泡剤は、約0.4 kg/メートルトン湿潤パルプ〜約1 kg/メートルトン湿潤パルプの適用量で使用され得る。
【００３４】
本発明の消泡剤の使用は、化学パルプ加工及び機械パルプ加工において使用され得る。本発明の消泡剤組成物を使用して散気洗浄システム、プレス型洗浄機、向流ストック洗浄機、回転真空ドラム洗浄機、ダブルワイヤープレス洗浄機、及び拡散洗浄機等の多種多様な種類の褐色紙料洗浄機による気泡を制御することができる。一旦パルプが洗浄され、スクリーニングされると、パルプは褐色紙料とされる。
【００３５】
褐色紙料の洗浄の間、一般的にはパルプを清潔な熱水による洗浄に供する。この褐色紙料洗浄工程の間、パルプと共に存在する化学物質及びリグニンである黒液をパルプから洗い流し、回収してもよい。本発明の消泡剤組成物を、パルプに消泡剤組成物をスプレーする、消泡剤組成物を洗浄水若しくはシャワー水と混合する、一度パルプから洗い流された黒液に添加若しくは噴霧する、又はそれらの任意の組合せ等の様々な方法で気泡を制御するために適用することができる。
【００３６】
上記消泡剤組成物は、パルプスラリー又はパルプ原料へと噴霧されてもよく、又は混合されてもよい。上記消泡剤組成物を濾過タンク若しくはクリーナーに、又は間の任意の点で適用してもよい。
【００３７】
選択肢として、本発明の消泡剤組成物は、シリコーンを含まない又は本質的にシリコーンを含まない。選択肢として、上記組成物中にシリコーンオイルで処理されたシリカが存在しない、及び／又はシリコーンオイルが存在しない。選択肢として、シリコーンポリエーテル界面活性剤又は他のシリコーン含有界面活性剤は上記組成物に使用されない。選択肢として、シリコーン消泡剤化合物は上記組成物に使用されない、又は存在しない。
【００３８】
選択肢として、本発明の消泡剤組成物は、ミネラルオイル等の炭化水素オイルを含まない又は本質的に含まない。選択肢として、本発明の消泡剤組成物は、石油製品を含まない又は本質的に含まない。したがって、本発明の消泡剤組成物には炭化水素系オイルが存在しないことが好ましい。
【００３９】
選択肢として、本発明の消泡剤組成物は、エチレンビス（ステアルアミド）（EBS）を含有しないことが好ましい。
【００４０】
本発明の消泡剤組成物は、いかなるワックス、特に100℃〜約140℃の融点等の高融点のワックスも含まない、又は本質的に含まないことが好ましい。
【００４１】
選択肢として、本発明の消泡剤組成物はシリコーン含有製品を本質的に含まない又は含まない。
【００４２】
1又は複数又は全ての本明細書に記載される選択肢を上記消泡剤組成物に採用することができる。
【００４３】
本発明の目的について、「本質的に含まない」の用語は、消泡剤組成物の総重量ベースで0.1 重量%未満を意味する。より好ましくは、本質的に含まない又は含まないは、検出可能なppmレベルでその原料が存在しないことを意味する。
【００４４】
本発明の例示を意図する以下の実施例によって、本発明を更に明確にする。
【実施例】
【００４５】
実施例1
本発明の消泡剤組成物及び他の消泡剤組成物を試験するため、パルプ工場用途に対する消泡剤を評価する承認された実験室的方法である、再循環リグ（recirculation rig）を使用した。再循環リグは、吸引器を備えた泡沫発生器の使用を含む。以下の実験に対し、パルプ工場からの第1段階濾過物に由来する黒液試料を得た。黒液を標準的な操作温度まで加熱した。その後、吸引器を備える泡沫発生器のシリンダーに400 mlのレベルまで該黒液を添加した。その後、試験される消泡剤組成物を含むマイクロピペットを使用して、上記黒液に消泡剤組成物を導入した。特に、泡沫発生器を始動し、黒液の気泡レベルを700 mlのレベルまで起泡させた。この時点で、シリンダーの側面に接触しないように注意して、マイクロピペットを使用し消泡剤組成物を直接再循環流に注入した。消泡剤を注入する間、ストップウォッチをすぐに開始し、最も低い気泡レベルをmlの単位で記録した。最も低い気泡の降下（foam drop）を、時間的に記録し、試験の最低部分（knockdown portion）とした。泡高が600 ml、700 ml、800 ml、及び900 mlに達する時の気泡レベルを継続して秒単位でモニターする。気泡レベルが900 mlのレベルを超える場合、試験を停止し、900 mlを超えることが記録された時間を記録する。上記試験のこの部分は抑制を測定するものであり、気泡がより長く、より低く抑制されることがより良好である。試験が180秒に達した時点で泡高を記録し、発生器の電源を切るが、気泡がつぶれるのを更に2分間観察するためモニタリングを継続する。2分が過ぎた後、気泡層の深さをml単位で記録する。
【００４６】
この実験では、本発明の消泡剤組成物を以下の原料を使用して作製した。
本発明                                        重量%（約）
TBEP（リン酸トリ-n-ブトキシエチル）                        70
HMDZ及びアルキルシラン処理シリカ                            6
DOSS（アニオン性ジオクチルスルホサクシネート）              2
水（残部）
【００４７】
これらの原料を共に混合し、50℃の温度で30分間加熱した。これにより、消泡剤組成物の水不溶性部分に本質的に水を分散した、水希釈消泡剤組成物が生じる。比較として、商業的に入手可能な消泡剤組成物であり、水希釈されたシリカ及びオイルベースの消泡剤組成物とされる、Buckman Laboratories International製のBUBREAK4359消泡剤組成物を使用した。本発明とBUBREAK 4359との比較を図1に示す。更なる比較として、本発明を界面活性剤と共にシリコーンを含有するシリコーンエマルジョン消泡剤組成物と比較した。この消泡剤試験の結果を図2に示す。
【００４８】
それぞれの場合において、本発明の消泡剤組成物は、泡高を減少又は制御するのに有効であることが分かった。これは、本発明の消泡剤組成物がオイルベースの製品又はシリコーンベースの製品又はワックスを含まないことを考慮すると、特に優れている。さらに、本発明はBUBREAK 4359と比較して発泡を制御するのみならず、BUBREAK 4359よりも長い時間に亘って発泡を制御し、また図2に示されるように、これはシリコーンを含有するシリコーンエマルジョン消泡剤と比較した本発明にも当てはまった。よって、本発明により、泡高が制御されるのみならず、泡高を制御する持続期間もまた、他の比較配合物と比べてより一層改善された。
【００４９】
本発明は以下の態様／実施形態／特徴を任意の順序及び／又は任意の組合せで包含する：
1.  消泡剤組成物であって、
a）少なくとも1つの有機リン成分と、
b）少なくとも1つのシラン処理シリカと、
c）少なくとも1つのアニオン性又は非イオン性の界面活性剤と、
d）任意に水と、
を含む、消泡剤組成物。
2.  前記少なくとも1つの有機リン成分が有機リン化合物である、任意の上記又は下記の実施形態／特徴／態様の消泡剤組成物。
3.  前記有機リン成分が、前記消泡剤組成物の総重量ベースで約20 重量%〜約99 重量%の量で存在する、任意の上記又は下記の実施形態／特徴／態様の消泡剤組成物。
4.  前記有機リン成分がアルキル含有リン化合物である、任意の上記又は下記の実施形態／特徴／態様の消泡剤組成物。
5.  前記有機リン成分がリン酸トリ-n-ブチル、リン酸トリ-n-ブトキシエチル、リン酸トリス(2-エチルヘキシル)、リン酸エステル、亜リン酸トリイソオクチル、リン酸トリイソブチル、リン酸トリフェニル、又はそれらの任意の組合せである、任意の上記又は下記の実施形態／特徴／態様の消泡剤組成物。
6.  前記シラン処理シリカがオルガノシラン処理シリカである、任意の上記又は下記の実施形態／特徴／態様に記載の消泡剤組成物。
7.  前記シラン処理シリカ中の前記シランがCH3Si-である、任意の上記又は下記の実施形態／特徴／態様の消泡剤組成物。
8.  前記シラン処理シリカが約80 m2/g〜290 m2/gのBET表面積を有する、任意の上記又は下記の実施形態／特徴／態様の消泡剤組成物。
9.  前記シラン処理シリカが、ヘキサメチルジシラザン、ジメチルジクロロシラン、メタクリルシラン、ヘキサデシルシラン、オクチルシラン、モノ−、ジ−若しくはトリ−アルコキシシラン、又はそれらの任意の組合せによって処理されたシリカである、任意の上記又は下記の実施形態／特徴／態様の消泡剤組成物。
10.  前記シラン処理シリカが、前記消泡剤組成物の総重量ベースで約1 重量%〜約10 重量%の量で存在する、任意の上記又は下記の実施形態／特徴／態様の消泡剤組成物。
11.  前記界面活性剤がアニオン性である、任意の上記又は下記の実施形態／特徴／態様の消泡剤組成物。
12.  前記界面活性剤が非イオン性である、任意の上記又は下記の実施形態／特徴／態様の消泡剤組成物。
13.  前記界面活性剤が、前記消泡剤組成物の総重量ベースで約1 重量%〜約5 重量%の量で存在する、任意の上記又は下記の実施形態／特徴／態様の消泡剤組成物。
14.  前記界面活性剤が、前記消泡剤組成物の総重量ベースで約0.5 重量%〜約10 重量%の量で存在する、任意の上記又は下記の実施形態／特徴／態様の消泡剤組成物。
15.  前記界面活性剤が、ポリグリコールエステル、糖エステル、ポリオキシプロピレンとポリオキシエチレンとのブロックコポリマーエステル、アルコールエトキシレート、ポリアルキレングリコールエステル、ソルビタンエステル、アミンエトキシレート、エステルエトキシレート、アルキロールアミドエトキシレート、ラノリンエトキシレート、若しくはアルキルフェノールエトキシレート、又はそれらの任意の組合せである、任意の上記又は下記の実施形態／特徴／態様の消泡剤組成物。
16.  前記界面活性剤が、リン酸エステル、スルホサクシネート、エーテルサルフェート、アルコールサルフェート、アルキルアリールスルホネート、アルカン／オレフィンスルホネート、若しくは石油スルホネート、又はそれらの任意の組合せである、任意の上記又は下記の実施形態／特徴／態様の消泡剤組成物。
17.  シリコーンオイルを含まない、任意の上記又は下記の実施形態／特徴／態様の消泡剤組成物。
18.  シリコーン又はシリコーン含有製品を含まない、任意の上記又は下記の実施形態／特徴／態様の消泡剤組成物。
19.  ワックスを含まない、任意の上記又は下記の実施形態／特徴／態様の消泡剤組成物。
20.  石油製品を含まない、任意の上記又は下記の実施形態／特徴／態様の消泡剤組成物。
21.  紙の製造過程で発泡を制御する方法であって、製紙工場の1又は複数の箇所に任意の上記又は下記の実施形態／特徴／態様の消泡剤組成物を適用することを含み、前記消泡剤組成物を前記製紙工場に存在する工程水に適用する、方法。
22.  少なくとも1つの褐色紙料洗浄機を備えるパルプ工場において発泡を制御する方法であって、任意の上記又は下記の実施形態／特徴／態様の消泡剤組成物を、褐色紙料を洗浄する間の発泡を制御するのに十分な量で、前記褐色紙料洗浄機の付近で湿潤パルプ、褐色紙料、シャワー水、及び／又は黒液に適用することを含む、方法。
23.  前記消泡剤組成物を湿潤パルプ1メートルトン当たり約0.4 kg〜湿潤パルプ1メートルトン当たり約1 kgの適用量で適用する、任意の上記又は下記の実施形態／特徴／態様の方法。
【００５０】
本発明は文及び／又は段落に記載される上記及び／又は下記のこれらの様々な特徴又は実施形態の任意の組合せを包含し得る。本明細書に開示される特徴の任意の組合せが本発明の一部であるとみなされ、組み合わせることができる特徴に関しては何ら限定を意図しない。
【００５１】
出願人らはこの開示における全ての引用文献の全内容を具体的に援用する。さらに、量、濃度又は他の値若しくはパラメータが範囲、好ましい範囲、又は好ましい上限値と好ましい下限値とのリストのいずれかとして与えられる場合、これは範囲が別々に開示されているかに関わらず、任意の範囲上限又は好ましい値と任意の範囲下限又は好ましい値との任意の対からなる全ての範囲を具体的に開示するものと理解される。数値の範囲が本明細書で言及されている場合、特に指定のない限り、範囲はその端点、並びに範囲内の全ての整数及び端数を含むことが意図される。本発明の範囲は、範囲を規定する場合に言及された特定の値に限定されることは意図されない。
【００５２】
本発明の他の実施形態は、本明細書の考察及び本明細書に開示される本発明の実施から当業者にとって明らかであろう。本明細書及び本実施例は単なる例示とみなされ、本発明の真の範囲及び趣旨は添付の特許請求の範囲及びその均等物により示されることが意図される。
【図１】
0006434124.tif 000002
【図２】
0006434124.tif 000003